(57)【要約】【課題】フルに人体工学に該当し、且つペン・カバーを遺失する虞はなく、同時に書写と修正とのダブル・ファンクションを具備し、且つ使用便利で、収納容易で、コストダウン可能で、着物を汚すことはないなどの特性と効果を有する、書写及び修正両用ペンを提供する。【解決手段】下部ペン・チューブ２と蛇腹チューブ３と上部ペン・チューブ４などの部材からなり、下部ペン・チューブ２に順次にスプリング２１とペン芯体２２と係合ロッド２３とプッシュ・ロッド２４とを収納し、且つ上部ペン・チューブ４に修正液を収納するための収納室４１を備えるようにし、上部ペン・チューブ４を押すことによりペン芯体２２を下部ペン・チューブ２外へ出させることができ、書写に供することができ、本体を逆さまにすると、上部ペン・チューブ４の収納室４１を押すことにより修正液を繰り出して修正を実行可能である。【選択図】　図２
0003096819.tif 000002
【実用新案登録請求の範囲】
【請求項１】
内壁部に複数の係止塊（２０）が環状に配列されるように形成され、内部にスプリング（２１）が配置され、当該スプリング（２１）内にペン芯体（２２）が置き入れられ、当該ペン芯体（２２）に係合ロッド（２３）が接合され、当該係合ロッド（２３）に複数の係合塊（２３０）が環状に配列されるように形成され、また、前記係合ロッド（２３）の先端部が斜め歯部（２３１）が形成され、また、係合ロッド（２３）にプッシュ・ロッド（２４）が設けられ、当該プッシュ・ロッド（２４）の底部に斜め歯部（２４０）が形成され、且つ係合ロッド（２３）のスプリング（２５）が設けられ、また、先端部の内縁部にストッパー（２６）が形成される、下部ペン・チューブ（２）と、
前記下部ペン・チューブ（２）の上部につけられる蛇腹チューブ（３）と、
前記下部ペン・チューブ（２）の上部に嵌合され、底部にフランジ（４０）が形成され、且つ内部に修正液を収納する収納室（４１）を備え、当該収納室（４１）の上部に液繰り出し口（４２）が形成され、且つ外部にペン・カバー（４３）がつけられる上部ペン・チューブ（４）とを少なくとも具備することを特徴とする書写及び修正両用ペン。
【請求項２】
前記蛇腹チューブ（３）が可塑性材料によって作られることを特徴とする請求項１に記載の書写及び修正両用ペン。
【考案の詳細な説明】
【０００１】
【考案の属する技術分野】
本考案は、書写及び修正両用ペンに関するものである。
【０００２】
【従来の技術】
従来では、書写機能と修正機能とを備える両用ペンは、例えば図１に示すように、主にペン・チューブ１の一端に固定式のボールペン・ヘッド１０を設け、且つペン・カバー１１をつけ、当該ペン・カバー１１にチャック１２を設け、それによって上着におけるポケットに挟持でき、且つ前記ペン・チューブ１０の他端に修正液を収納する収納室１３が形成され、且つ同様にペン・カバー１４をつけ、このように書写機能と修正機能のダブル・ファンクションを有するようになっている。
【０００３】
【考案が解決しようとする課題】
しかしながら、従来のこのような構造の場合では、二つのペン・カバー１１、１４を作る必要があるので、コストには浪費を招き、且つボールペン・ヘッドによって書写を実行する頻度がかなり多いので、ペン・カバー１１を取り外して書写をする時、ペン・カバー１１を遺失することがよくあり、そのため、容易に着物を汚れさせ、且つチャック１２がペン・カバー１１の上部に設けられるので、着物に挟持する場合、ペン・チューブ１の一端の修正液を収納する収納室１３が下向きになり、修正液が容易に液繰り出し口を塞ぐようになり、修正液を繰り出せない場合もあり、その元来の機能を失ってしまうような場合もある。
【０００４】
前記の従来の修正機能を有するペンの構造が使用される際に前記のそれぞれの諸課題を有することに鑑みて、本考案の考案者は研究開発を進め、複数回の試作とテストの結果、とうとう同時に書写機能と修正機能を有しつつ使用に便利で収納容易でコストダウン可能で着物を汚すことはないなどの諸特性を有する書写及び修正両用ペンを提出するに至った。
【０００５】
【課題を解決するための手段】
前記の課題を解消するために、本考案は、下部ペン・チューブと蛇腹チューブと上部ペン・チューブなどの部材からなり、前記下部ペン・チューブに順次にスプリングとペン芯体と係合ロッドとプッシュ・ロッドとを収納し、且つ上部ペン・チューブに修正液を収納するための収納室を備えるようにし、上部ペン・チューブを押すことによって前記ペン芯体を下部ペン・チューブ外へ出させることができ、書写に供することができ、また、本体を逆さまにすると、上部ペン・チューブの収納室を押すことによって修正液を繰り出して修正を実行でき、このように押す方式を採用するので、フルに人体工学に該当し、且つペン・カバーを遺失する虞はなく、同時に書写と修正とのダブル・ファンクションを具備し、且つ使用便利で、収納容易で、コストダウン可能で、着物を汚すことはないなどの特性と効果を有する、書写及び修正両用ペンを提供する。
【０００６】
作用
本考案の考案者は前記の諸課題が解消されることができると存じて、研究開発を進めると共に、学術の運用を合せて極めた結果、とうとう本考案の書写及び修正両用ペンを提案するに至って、特に下部ペン・チューブ内にペン芯体を置き入れると共に、上部ペン・チューブに修正液を収納する収納室を設けることによって同時に書写機能と修正機能とを有するようになる書写及び修正両用ペンを考案した。
【０００７】
【考案の実施の形態】
以下に添付図面を参照しながら本考案の書写及び修正両用ペンの好適な実施の形態を詳細に説明する。
【０００８】
図２と図３に示すように、本考案は主に下部ペン・チューブ２を有し、当該下部ペン・チューブ２の内壁に複数の係止塊２０（図７参照）が環状に配置されるように形成され、また、前記下部ペン・チューブ２の内部にスプリング２１が設けられ、当該スプリング２１にペン芯体２２が設けられ、前記ペン芯体２２に係合ロッド２３が接合され、当該係合ロッド２３に複数の係合塊２３０が環状に配列されるように形成され、また、前記係合ロッド２３の中間段部に斜め歯部２３１が形成され、また、前記係合ロッド２３にプッシュ・ロッド２４が設けられ、当該プッシュ・ロッド２４の底部に斜め歯部２４０が形成され、前記係合ロッド２３の斜め歯部２３１と合せられ、且つ前記係合ロッド２３にスプリング２５が設けられ、また、前記下部ペン・チューブ２の先端部内縁にストッパー２６が設けられ、且つ蛇腹チューブ３を備え、それが下部ペン・チューブ２の上部につけられ、当該蛇腹チューブ３が可塑性材料によって製造されるものを採用し、そのため、圧縮の特性を有し、また、上部ペン・チューブ４を備え、前記下部ペン・チューブ２の上部に嵌合され、当該上部ペン・チューブ４の底部に二つのフランジ４０が環状に配列されるように形成され、当該フランジ４０が前記上部ペン・チューブ４が前記下部ペン・チューブ２内部に置き入れられる際に前記下部ペン・チューブ２のストッパー２６に当接でき、下部ペン・チューブ２を上部ペン・チューブ４より脱落できないように作用でき、また、上部ペン・チューブ４の内部に修正液を収納する収納室４１が形成され、当該収納室４１の上部にスチール・ボールを有する液繰り出し口４２が形成され、且つ前記上部ペン・チューブ４の外部にペン・カバー４３がつけられている。
【０００９】
組立てる場合、図４に示すように、まずスプリング２１とペン芯体２２と係合ロッド２３とプッシュ・ロッド２４とを順次に下部ペン・チューブ２内に置き入れ、また、蛇腹チューブ３をつけ、また、上部ペン・チューブ４のフランジ４０を下部ペン・チューブ２のストッパー２６内に嵌合し、それから上部ペン・チューブ４にペン・カバー４３をつけると、組立が終了する。
【００１０】
使用時、図５に示すように、上部ペン・チューブ４を押すだけで、上部ペン・チューブ４が蛇腹チューブ３を圧縮し、且つ上部ペン・チューブ４によってプッシュ・ロッド２４をプッシュし、プッシュ・ロッド２４が下向いて係合ロッド２３を押し付け、且つ係合ロッド２３が下向いてペン芯体２２を押し付け、且つスプリング２１を圧縮し、手を放すと、係合ロッド２３の複数の係合塊２３０が下部ペン・チューブ２の内壁部における複数の係止塊２０に阻止されるため（図７参照）、係合ロッド２３が縮み戻すことができなくなり、そのため、ペン芯体２２を押し付ける状態を保持し、書写に供できるようになり、書き間違えて修正液を使用しようとする場合、上部と下部ペン・チューブ４、２を逆さまにする（図６参照）と共に、力を入れて収納室４１を押し付ければ、液繰り出し口４２より修正液を繰り出すことができ、且つスプリング２５によって反発作用を生じさせ、上部ペン・チューブ４を上向いて押し付け、そのため、修正液を使用する際に、上部ペン・チューブが内方へ縮むことをなくすことができ、また、書写終了後にペン芯体２２を縮み戻させようとする場合、上部ペン・チューブ４を下向いて押すだけで、上部ペン・チューブ４が下向いてプッシュ・ロッド２４を押し付け、プッシュ・ロッド２４が下向いて係合ロッド２３を当接し、プッシュ・ロッド２４の下方の斜め歯部２４０によって係合ロッド２３の斜め歯部２３１を当接する際に、斜め歯部２４０、２３１のあわせることにより係合ロッド２３が旋回され、係合ロッド２３の複数の係合塊２３０が下部ペン・チューブ２の内壁部における複数の係止塊２０より離脱され（図８参照）、スプリング２１の反発力によってペン芯体２２を下部ペン・チューブ２の内部へ縮み込ませることができると共に、係合ロッド２３を上向いて跳ね戻させられ、プッシュ・ロッド２４を上向いて上部ペン・チューブ４を復位させるように押し付けさせると、書写の作業を終了する。
【００１１】
【考案の効果】
前記の説明から分かるように、本考案は下記のような優れる点を有する：
（１）本考案は同時に書写機能と修正機能とのダブル・ファンクションを備えるので、使用に便利である効果を獲得できる。
（２）書写時、押し付け方式を採用するので、フルに人体工学に該当し、且つペン・カバーを設ける必要はなく、書写時、ペン・カバーを取り外す必要はないので、ペン・カバーをなくす虞は一切ない。
（３）本考案のペン芯体が下部ペン・チューブの内部に縮みこむことができるので、収納に便利であると共に、ペン・カバーの製造コストは不要になり、且つペン・カバーを遺失することと着物を汚すことなどの不都合のことを生じることはない。
（４）本考案の修正液を収納する収納室がペン・チューブの上部に設けられるので、修正液が沈殿することにより液繰り出し口を塞ぐ課題を解消でき、且つペン芯体がペン・チューブの下部に設けられるので、上部ペン・チューブを押す動作の進むことに利し、使用便利の目的を図れる。
【図面の簡単な説明】
【図１】図１は、従来の両用ペンを示す断面図である。
【図２】図２は、本考案を示す分解斜視図である。
【図３】図３は、本考案を示す組立斜視図である。
【図４】図４は、本考案を示す組立断面図である。
【図５】図５は、本考案の上部ペン・チューブを押す場合を示す説明図である。
【図６】図６は、本考案の上部と下部ペン・チューブを逆さまにする場合を示す説明図である。
【図７】図７は、本考案の係合塊が係止塊に阻止される様態を示す説明図である。
【図８】図８は、本考案の係合塊が係止塊の阻止を受けない場合の様態を示す説明図である。
【符号の説明】
１　　　　ペン・チューブ
２　　　　下部ペン・チューブ
３　　　　蛇腹チューブ
４　　　　上部ペン・チューブ
１０　　　ボールペン・ヘッド
１１　　　ペン・カバー
１２　　　チャック
１３　　　収納室
１４　　　ペン・カバー
２０　　　係止塊
２１　　　スプリング
２２　　　ペン芯体
２３　　　係合ロッド
２４　　　プッシュ・ロッド
２５　　　スプリング
２６　　　ストッパー
４０　　　フランジ
４１　　　収納室
４２　　　液繰り出し口
４３　　　ペン・カバー
２３０　　係合塊
２３１　　斜め歯部
２４０　　斜め歯部
【図１】
0003096819.tif 000003
【図２】
0003096819.tif 000004
【図３】
0003096819.tif 000005
【図４】
0003096819.tif 000006
【図５】
0003096819.tif 000007
【図６】
0003096819.tif 000008
【図７】
0003096819.tif 000009
【図８】
0003096819.tif 000010